【手続補正書】
【提出日】平成27年12月17日(2015.12.17)
【手続補正１】
【補正対象書類名】明細書
【補正対象項目名】００１０
【補正方法】変更
【補正の内容】
【００１０】
本発明は、表示領域を圧迫することなく、地図が表示された表示画面に対する操作に応じて、適切にコンテンツデータを表示させることができる仕組みを提供することを目的とする。
【手続補正２】
【補正対象書類名】明細書
【補正対象項目名】００１１
【補正方法】変更
【補正の内容】
【００１１】
本発明の情報処理装置は、複数のコンテンツデータと、当該コンテンツデータそれぞれの位置情報を記憶する記憶手段を備える情報処理装置であって、前記記憶手段に記憶されている位置情報に従って前記複数のコンテンツデータに対応する複数のオブジェクトが配置される地図を表示画面に表示させる制御をする表示制御手段と、前記表示制御手段により前記地図が表示された表示画面においてスワイプ操作を受け付けた場合に、当該スワイプ操作の方向を特定する方向特定手段と、地図上において、前記方向特定手段により特定された方向に配置されているオブジェクトを特定するオブジェクト特定手段と、前記オブジェクト特定手段により前記方向特定手段で特定された方向に配置されていると特定されたオブジェクトに対応する前記コンテンツデータを表示画面に表示させる制御をするコンテンツデータ表示制御手段と、を備えることを特徴とする。
【手続補正３】
【補正対象書類名】明細書
【補正対象項目名】００１２
【補正方法】変更
【補正の内容】
【００１２】
本発明によれば、表示領域を圧迫することなく、地図が表示された表示画面に対する操作に応じて、適切にコンテンツデータを表示させることができる仕組みを提供することが出来る。
【手続補正４】
【補正対象書類名】特許請求の範囲
【補正対象項目名】全文
【補正方法】変更
【補正の内容】
【特許請求の範囲】
【請求項１】
複数のコンテンツデータと、当該コンテンツデータそれぞれの位置情報を記憶する記憶手段を備える情報処理装置であって、
前記記憶手段に記憶されている位置情報に従って前記複数のコンテンツデータに対応する複数のオブジェクトが配置される地図を表示画面に表示させる制御をする表示制御手段と、
前記表示制御手段により前記地図が表示された表示画面においてスワイプ操作を受け付けた場合に、当該スワイプ操作の方向を特定する方向特定手段と、
地図上において、前記方向特定手段により特定された方向に配置されているオブジェクトを特定するオブジェクト特定手段と、
前記オブジェクト特定手段により前記方向特定手段で特定された方向に配置されていると特定されたオブジェクトに対応する前記コンテンツデータを表示画面に表示させる制御をするコンテンツデータ表示制御手段と、
を備えることを特徴とする情報処理装置。
【請求項２】
前記オブジェクト同士を繋ぐアイテムを前記地図上に配置して表示させるアイテム表示制御手段と、
前記表示制御手段により表示された地図に対するスワイプ操作を受け付けた場合に、当該スワイプ操作の方向に応じて地図の表示を遷移させる地図表示遷移手段と、
を備え、
前記表示制御手段は、前記スワイプ操作を受け付けた位置が前記アイテム表示制御手段により表示されたアイテム上である場合に、当該アイテムで繋がっている、前記方向特定手段により特定される方向に配置されているオブジェクトに対応する前記コンテンツデータを表示領域に表示させる制御をすることを特徴とする請求項１に記載の情報処理装置。
【請求項３】
前記オブジェクト特定手段は、前記アイテム表示制御手段により表示された前記アイテムに対するタップ操作を受け付けた場合に、前記表示制御手段により表示されている地図の中央位置からより遠い位置に配置されている、前記アイテムが繋がっているオブジェクトを特定することを特徴とする請求項２に記載の情報処理装置。
【請求項４】
前記地図表示遷移手段は、前記アイテム表示制御手段により表示された前記アイテムに対するタップ操作を受け付けた場合に、前記地図の表示を、前記オブジェクト特定手段により特定されたオブジェクトを中心とした表示に切り替えることを特徴とする請求項２又は３に記載の情報処理装置。
【請求項５】
前記地図表示遷移手段は、前記アイテムに対するスワイプ操作を受け付けた場合に、前記オブジェクト特定手段で特定されたオブジェクトを中心とした位置まで、地図をスクロールして遷移させることを特徴とする請求項２乃至４のいずれか１項に記載の情報処理装置。
【請求項６】
前記オブジェクトに対応するコンテンツデータは画像データであって、
前記情報処理装置は、
当該画像データを対応付けたアルバムを記憶するアルバム記憶手段と、
前記アルバム記憶手段に記憶されているアルバムの選択を受け付けるアルバム選択受付手段と、
を備え、
前記表示制御手段は、前記アルバム選択受付手段で選択を受け付けたアルバムに対応する前記画像データのサムネイル画像を前記オブジェクトとして、前記地図上に配置して表示させる制御をすることを特徴とする請求項１乃至５のいずれか１項に記載の情報処理装置。
【請求項７】
前記情報処理装置は、表示部を有する表示端末と通信可能に接続され、
前記表示制御手段は、前記表示端末に、前記位置情報に従って前記複数のオブジェクトを配置した地図の情報を送信することにより、前記表示端末の表示部に表示される表示画面に、前記複数のオブジェクトが配置された地図を表示させることを特徴とする請求項１乃至６のいずれか１項に記載の情報処理装置。
【請求項８】
前記情報処理装置は、表示画面を表示する表示手段を備え、
前記表示制御手段は、前記複数のオブジェクトが配置された地図の情報を用いて、前記情報処理装置の備える表示手段によって表示される表示画面に、前記複数のオブジェクトが配置された地図を表示させることを特徴とする請求項１乃至６のいずれか１項に記載の情報処理装置。
【請求項９】
複数のコンテンツデータと、当該コンテンツデータそれぞれの位置情報を記憶する記憶手段を備える情報処理装置の制御方法であって、
前記記憶手段に記憶されている位置情報に従って前記複数のコンテンツデータに対応する複数のオブジェクトが配置される地図を表示画面に表示させる制御をする表示制御工程と、
前記表示制御工程により前記地図が表示された表示画面においてスワイプ操作を受け付けた場合に、当該スワイプ操作の方向を特定する方向特定工程と、
地図上において、前記方向特定工程により特定された方向に配置されているオブジェクトを特定するオブジェクト特定工程と、
前記オブジェクト特定工程により前記方向特定工程で特定された方向に配置されていると特定されたオブジェクトに対応する前記コンテンツデータを表示画面に表示させる制御をするコンテンツデータ表示制御工程と、
を備えることを特徴とする情報処理装置の制御方法。
【請求項１０】
複数のコンテンツデータと、当該コンテンツデータそれぞれの位置情報を記憶する記憶手段を備える情報処理装置で実行が可能なプログラムであって、
前記情報処理装置を、
前記記憶手段に記憶されている位置情報に従って前記複数のコンテンツデータに対応する複数のオブジェクトが配置される地図を表示画面に表示させる制御をする表示制御手段と、
前記表示制御手段により前記地図が表示された表示画面においてスワイプ操作を受け付けた場合に、当該スワイプ操作の方向を特定する方向特定手段と、
地図上において、前記方向特定手段により特定された方向に配置されているオブジェクトを特定するオブジェクト特定手段と、
前記オブジェクト特定手段により前記方向特定手段で特定された方向に配置されていると特定されたオブジェクトに対応する前記コンテンツデータを表示画面に表示させる制御をするコンテンツデータ表示制御手段として機能させることを特徴とする情報処理装置のプログラム。
【請求項１１】
表示端末と、複数のコンテンツデータと、当該コンテンツデータそれぞれの位置情報を記憶する記憶手段を備える情報処理装置と、を含む情報処理システムであって、
前記記憶手段に記憶されている位置情報に従って前記複数のコンテンツデータに対応する複数のオブジェクトが配置される地図を前記表示端末の表示画面に表示する表示手段と、
前記表示手段により前記地図が表示された表示画面においてスワイプ操作を受け付けた場合に、当該スワイプ操作の方向を特定する方向特定手段と、
地図上において、前記方向特定手段により特定された方向に配置されているオブジェクトを特定するオブジェクト特定手段と、
前記オブジェクト特定手段により前記方向特定手段で特定された方向に配置されていると特定されたオブジェクトに対応する前記コンテンツデータを表示画面に表示するコンテンツデータ表示手段と、
を備えることを特徴とする情報処理システム。